(57)【要約】      （修正有）【課題】主出力の混合音信号に影響を与えることなく、プレビュー対象の混合音信号の混合比や信号処理パラメータを、ユーザが、モニタ出力の音信号を聴きながら調整できるようにする。【解決手段】各入力ｃｈ（チャンネル）２は、第１パラメータに従って音信号のレベルを調整して出力系統毎に送出する。出力ｃｈ３は複数の入力ｃｈの音信号を混合し、混合音信号を第２パラメータで処理して主出力へ出力する。プレビューｃｈ４は、入力ｃｈ毎の音信号を第３パラメータでレベル調整し、調整後の音信号を混合して、その混合音信号を第４パラメータで処理してモニタ出力へ出力する。プレビュー指示に応じて、入力ｃｈの第１パラメータをプレビューｃｈの第３パラメータにコピーし、且つ、バスｃｈの第２パラメータをプレビューｃｈの第４パラメータにコピーする。値調整指示に応じて、プレビューｃｈの第３パラメータ又は第４パラメータを変更する。【選択図】図１
2018133701.tif 000002
【特許請求の範囲】
【請求項１】
それぞれ、複数の出力系統毎の第１パラメータに従って、音信号のレベルを調整して、レベル調整後の音信号を該出力系統毎に送出する第１レベル調整部を有する複数の入力チャンネルと、
前記複数の出力系統に対応しており、それぞれ、前記複数の入力チャンネルから送出された複数の音信号を混合し、その混合音信号を第２パラメータに従って処理して、主出力へ出力する第１信号処理部を有する複数のバスチャンネルと、
前記複数の入力チャンネルの音信号を、該入力チャンネル毎の第３パラメータに従ってレベル調整する第２レベル調整部と、レベル調整後の複数の音信号を混合して、その混合音信号を第４パラメータに従って処理して、モニタ出力へ出力する第２信号処理部を有するプレビューチャンネルと、
ユーザによる各種指示に応じて、プレビューチャンネルにパラメータを供給する供給部であって、何れか１の出力系統のプレビュー指示に応じて、前記各入力チャンネルにおける当該出力系統の第１パラメータをそれぞれ前記プレビューチャンネルにおける対応する第３パラメータにコピーし、且つ、当該出力系統に対応するバスチャンネルの第２パラメータを前記プレビューチャンネルの第４パラメータにコピーし、また、値調整指示に応じて、前記プレビューチャンネルの第３パラメータ又は前記第４パラメータを変更する前記供給部と
を備える音処理装置。
【請求項２】
前記供給部は、更に、ユーザによる対比指示に応じて、前記プレビューチャンネルから出力される混合音信号の代わりに、前記バスチャンネルから出力される混合音信号を、前記モニタ出力に出力する請求項１に記載の音処理装置。
【請求項３】
前記供給部は、更に、ユーザによる適用指示に応じて、前記入力チャンネル毎の前記第３パラメータを、それぞれ対応する入力チャンネルの前記プレビュー指示された出力系統の第１パラメータにコピーするとともに、前記第４パラメータを前記プレビュー指示された出力系統に対応するバスチャンネルの第２パラメータにコピーする請求項１又は２に記載の音処理装置。
【請求項４】
それぞれ、複数の出力系統毎の第１パラメータに従って、音信号のレベルを調整して、レベル調整後の音信号を該出力系統毎に送出する第１レベル調整部を有する複数の入力チャンネルと、前記複数の出力系統に対応しており、それぞれ、前記複数の入力チャンネルから送出された複数の音信号を混合し、その混合音信号を第２パラメータに従って処理して、主出力へ出力する第１信号処理部を有する複数のバスチャンネルと、前記複数の入力チャンネルの音信号を、該入力チャンネル毎の第３パラメータに従ってレベル調整する第２レベル調整部と、レベル調整後の複数の音信号を混合して、その混合音信号を第４パラメータに従って処理して、モニタ出力へ出力する第２信号処理部を有するプレビューチャンネルを備える音処理装置において、該音処理装置のコントローラが実行するパラメータ供給方法であって、
ユーザからの何れか１の出力系統のプレビュー指示に応じて、前記各入力チャンネルにおける当該出力系統の第１パラメータをそれぞれ前記プレビューチャンネルにおける対応する第３パラメータにコピーし、且つ、当該出力系統に対応するバスチャンネルの第２パラメータを前記プレビューチャンネルの第４パラメータにコピーする手順と、
ユーザからの値調整指示に応じて、前記プレビューチャンネルの第３パラメータ又は前記第４パラメータを変更する手順
を備えるパラメータ供給方法。
【発明の詳細な説明】
【技術分野】
【０００１】
この発明は、例えば複数のチャンネル（以下、「ｃｈ」と略記）を有するオーディオミキサなどに用いて好適な音処理装置及びパラメータ供給方法に関する。
【０００２】
オーディオミキサ（以下、「ミキサ」とも言う）は、基本的には、複数のｃｈそれぞれにて、外部の音源から入力（複数ジャック）を介して供給された音信号の各種特性制御やレベル調整等の信号処理を施し、処理後の音信号を主出力系のバスにて混合し、その混合音信号を出力ｃｈにて処理して、処理後の音信号を主出力（複数ジャック）に出力するように構成される。主出力には、音信号を増幅して会場に放音するメインスピーカや、演奏者に放音するウェッジスピーカ等が接続される。ユーザ（ミキサのオペレータ）は、入力ｃｈ毎にバスへの送出ゲインを設定し、そのバスの混合音信号における複数の音信号の混合比を調整できる。ゲインはデシベル値であり、正の場合、音信号の増幅を表し、負の場合、音信号の減衰を表す。
【０００３】
従来のミキサにおいて、試聴対象に選択されたｃｈの音信号を、ユーザの試聴のために、出力系の音信号に影響を与えることなく、主出力とは別のモニタ出力から出力するキュー機能（「ＣＵＥ」）が知られる。モニタ出力には、ユーザのヘッドフォン等が接続される。特許文献１には、各入力ｃｈにおいて、主出力系のバスの送出ゲインとは別に試聴用のモニタバスへの送出ゲインを設定し、モニタバスで複数の音信号を混合し、その混合音信号をモニタ出力から出力することが記載されている。
【０００４】
通常のキュー機能には、主出力系の音信号に影響を与えることなく、試聴している音信号のパラメータを、調整することはできない。しかし、従来のミキサのプレビュー機能においては、主出力の音信号に影響を与えることなく、試聴対象の音信号の信号処理のパラメータを、ユーザがモニタ出力の音信号を聴きながら調整できる。特許文献２は、プレビュー機能の１例として、１の入力ｃｈのプレビュー開始指示に応じて、モニタ出力用に一時的ｃｈを作成してその入力ｃｈに供給される音信号と同じ音信号を供給し、さらにそのｃｈの信号処理のパラメータの値を、その一時的ｃｈにコピーして、ユーザが、その一時的ｃｈで、その音信号に施す信号処理のパラメータを調整することを開示している。また、特許文献３は、一時的でないキュー出力ｃｈをモニタ出力用に設け、１の出力ｃｈのプレビュー開始指示に応じて、その出力ｃｈに供給される音信号と同じ音信号をそのキュー出力ｃｈに供給し、さらにその出力ｃｈの信号処理のパラメータの値を、キュー出力ｃｈにコピーして、ユーザが、キュー出力ｃｈでその音信号に施す信号処理のパラメータを調整することを開示している。
【０００５】
また、特許文献４は、従来のミキサにおいて、各入力ｃｈからウェッジスピーカ用のバスへの送出ゲインを簡単に設定する方法として、ユーザからの指示に応じて、各入力ｃｈからメインスピーカ用のバスへの送出ゲインの値を、その入力ｃｈからウェッジスピーカ用のバスへの送出ゲインにコピーする技術を記載している。
【０００６】
しかし、従来のプレビュー機能では、或る出力ｃｈの混合音信号をプレビューする場合に、主出力の音信号に影響を与えることなく、ユーザが、プレビュー対象の出力ｃｈの混合音信号における複数の音信号の混合比をモニタ出力用のｃｈにて調整することはできなかった。
【先行技術文献】
【特許文献】
【０００７】
【特許文献１】特許第４００３６３９号公報
【特許文献２】特開２０１６‐１８１８３３号公報
【特許文献３】特開２０１６‐１７８３９１号公報
【特許文献４】特許第４０６６２５４号公報
【発明の概要】
【発明が解決しようとする課題】
【０００８】
この発明は、上述の点に鑑みてなされたもので、主出力の混合音信号を変化させることなく、ユーザが、モニタ出力用のｃｈにて、プレビュー対象の混合音信号における複数の音信号の混合比や、その混合音信号の特性を調整できるようにした音処理装置及びパラメータ供給方法を提供することを目的とする。
【課題を解決するための手段】
【０００９】
この発明は、それぞれ、複数の出力系統毎の第１パラメータに従って、音信号の送出レベルを調整して、レベル調整後の音信号を該出力系統毎に送出する第１レベル調整部を有する複数の入力チャンネルと、前記複数の出力系統に対応しており、それぞれ、前記複数の入力チャンネルから送出された複数の音信号を混合し、その混合音信号を第２パラメータに従って処理して、主出力へ出力する第１信号処理部を有する複数のバスチャンネルと、前記複数の入力チャンネルの音信号を、該入力チャンネル毎の第３パラメータに従ってレベル調整する第２レベル調整部と、レベル調整後の複数の音信号を混合して、その混合音信号を第４パラメータに従って処理して、モニタ出力へ出力する第２信号処理部を有するプレビューチャンネルと、ユーザによる各種指示に応じて、プレビューチャンネルにパラメータを個別に供給する供給部であって、何れか１の出力系統のプレビュー指示に応じて、前記各入力チャンネルにおける当該出力系統の第１パラメータをそれぞれ前記プレビューチャンネルにおける対応する第３パラメータにコピーし、且つ、当該出力系統に対応するバスチャンネルの第２パラメータを前記プレビューチャンネルの第４パラメータにコピーし、また、値調整指示に応じて、前記プレビューチャンネルの第３パラメータ又は前記第４パラメータを変更する前記供給部を備える音処理装置である。
【００１０】
この発明によれば、何れか１の出力系統のプレビュー指示に応じて、各入力チャンネルにおける当該出力系統の第１パラメータをプレビューチャンネルの第３パラメータにコピーするとともに、当該出力系統に対応するバスチャンネルの第２パラメータをプレビューチャンネルにコピーすることにより、プレビューチャンネルに、プレビュー対象の出力系統と同じ混合比や信号処理パラメータを設定する。これにより、ユーザは、モニタ出力用のｃｈにて、プレビュー指示された出力系統と同じ混合音信号を試聴できる。そして、このプレビューチャンネルにおいて第３パラメータや第４パラメータを調整することで、主出力から出力される混合音信号に影響を与えることなく、ユーザが、モニタ出力用のｃｈにて、プレビュー対象の混合音信号における複数の音信号の混合比や、プレビュー対象の混合音信号の特性を、調整できる。
【００１１】
また、この発明は、装置の発明として構成及び実施し得るのみならず、前記装置を構成する各構成要素を備える方法の発明として実施及び構成されてよい。
【発明の効果】
【００１２】
この発明によれば、主出力の混合音信号を変化させることなく、ユーザが、モニタ出力用のｃｈにて、プレビュー対象の混合音信号における複数の音信号の混合比や、その混合音信号の特性を調整できる、という優れた効果を奏する。
【図面の簡単な説明】
【００１３】
【図１】この発明に係る音処理装置の構成例を示す概念的ブロック図。
【図２】この発明の音処理装置の実施形態であるデジタルミキサのハードウェア構成例を示す図である。
【図３】図１に示したＤＳＰで実行される信号処理の構成をより詳細に示す図である。
【図４】図２に示した入力ｃｈの構成をより詳細に示す図である。
【図５】図２に示した出力ｃｈの構成をより詳細に示す図である。
【図６】図２に示したキューｃｈの構成をより詳細に示す図である。
【図７】プレビュー開始指示に応じた処理を示すフローチャート。
【図８】或る出力チャンネルのキューキー操作に応じた処理を示すフローチャート。
【図９】パラメータの値の変更操作に応じた処理を示すフローチャート。
【図１０】対比キー操作に応じた処理を示すフローチャート。
【図１１】適用指示に応じた処理を示すフローチャート。
【図１２】プレビュー終了指示に応じた処理を示すフローチャート。
【発明を実施するための形態】
【００１４】
以下、添付図面を参照して、この発明の一実施形態について詳細に説明する。
【００１５】
図１は、この発明に係る音処理装置の構成例を説明する概念的ブロック図である。
【００１６】
図１の音処理装置１は、それぞれ、複数の出力系統毎の第１パラメータに従って、音信号のレベルを調整して、レベル調整後の音信号を該出力系統毎に送出する第１レベル調整部６を有する複数の入力チャンネル２（以下、チャンネルは「ｃｈ」と略記）と、それぞれ、前記複数の出力系統に対応しており、複数の入力ｃｈ２から送出された複数の音信号を混合し、その混合音信号を第２パラメータに従って処理して、主出力へ出力する第１信号処理部７を有する複数のバスｃｈ３と、複数の入力ｃｈ２の音信号のレベルを、該入力チャンネル毎の第３パラメータに従ってレベル調整する第２レベル調整部８と、レベル調整後の複数の音信号を混合して、その混合音信号を第４パラメータに従って処理して、モニタ出力へ出力する第２信号処理部９を有するプレビューｃｈ４と、ユーザによる各種指示に応じて、プレビューｃｈ４にパラメータを供給する供給部５を備える。供給部５は、何れか１つの出力系統のプレビュー指示に応じて、各入力ｃｈ２における当該出力系統の第１パラメータをそれぞれプレビューｃｈ４における対応する第３パラメータにコピーし、且つ、当該出力系統に対応するバスｃｈ３の第２パラメータをプレビューｃｈ４の第４パラメータにコピーする。また、供給部５は、値調整指示に応じて、プレビューｃｈの第３パラメータ又は第４パラメータを変更する。
【００１７】
上記の構成によれば、何れか１の出力系統のプレビュー指示に応じて、複数の各入力ｃｈ２における当該出力系統の第１パラメータを、プレビューｃｈ４における複数の入力ｃｈ毎の第３パラメータにコピーし、且つ、当該出力系統に対応するバスｃｈ３の第２パラメータをプレビューｃｈ４の第４パラメータにコピーすることにより、プレビューｃｈ４に、プレビュー対象の出力系統と同じ混合比や信号処理パラメータを設定する。これにより、ユーザは、モニタ出力用のプレビューｃｈ４にて、プレビュー指示された出力系統と同じ混合音信号を試聴できる。そして、プレビューｃｈ４の第３パラメータや第４パラメータを調整することで、ユーザは、メイン出力から出力される混合音信号に影響を与えることなく、プレビュー対象の出力系統の混合音信号における複数の音信号の混合比や該出力系統の混合音信号の特性を調整できる。
【００１８】
図１の音処理装置１は、例えば、オーディオミキサ等の音信号を扱う音響機器に適用され得る。以下の一実施形態は、音処理装置１をオーディオミキサに適用した例について説明する。オーディオミキサ１０は、専らデジタル信号処理により音信号を処理するデジタルミキサ（以下単に「ミキサ」とも言う）とする。
【００１９】
図２は、ミキサ１０は、ＣＰＵ（Central Processing Unit）１１、ＲＯＭ（Read Only Memory）１２、ＲＡＭ（Random Access Memory）１３、表示インタフェース（以下、インタフェースを「Ｉ／Ｆ」と記す）１４、検出Ｉ／Ｆ１５、通信Ｉ／Ｆ１６、ＤＳＰ（Digital  Signal  Processor）２０を備え、これらが通信バス２５によって接続されている。また、表示Ｉ／Ｆ１４には表示部１７が、検出Ｉ／Ｆ１５には操作子１８が、通信Ｉ／Ｆ１６には通信入出力部（以下、入出力部を「Ｉ／Ｏ」と記す）１９がそれぞれ接続されている。さらに、ＡＤ変換部２２、ＤＡ変換部２３、ＤＤ変換部２４も備え、これらは音声バス２６によりＤＳＰ２０と接続されている。  
【００２０】
これらのうちＣＰＵ１１は、ミキサ１０の動作を統括制御する制御手段であり、ＲＯＭ１２に記憶された所定のプログラムを実行することにより、各Ｉ／Ｆ１４〜１６を介した表示部１７の表示、操作子１８における操作の検出、通信Ｉ／Ｏ１９による通信等を制御したり、ＤＳＰ２０における信号処理を制御したりといった処理を行う。ＲＯＭ１２は、ＣＰＵ１１が実行する制御プログラム等を記憶する書き換え可能な不揮発性記憶手段である。フラッシュメモリ等を用いることできる。
【００２１】
ＲＡＭ１３は、ＤＳＰ２０における信号処理に反映させるパラメータの値を記憶したり、ＣＰＵ１１のワークメモリとして使用したりするための記憶手段である。表示Ｉ／Ｆ１４は、表示部１７を通信バス２５に接続してＣＰＵ１１からの指示に従ってその表示内容を制御するためのインタフェースである。表示部１７は、液晶ディスプレイ（ＬＣＤ）等によって構成される表示手段である。そして、ミキサ１０の現在の状態を示す画面、信号処理に用いるパラメータの参照、変更、保存等を行うための画面等を表示する。
【００２２】
検出Ｉ／Ｆ１５は、操作子１８を通信バス２５に接続してＣＰＵ１１からの指示に従ってその操作内容を検出するためのインタフェースである。操作子１８は、キー、スイッチ、ロータリーエンコーダ等によって構成される。ＣＰＵ１１は、ユーザによる操作子１８の操作に応じて、表示部１７の表示を制御したり、一部操作子へのパラメータの割り当てを変更したり、操作された操作子に割り当てられたパラメータの値を変更したり、あるいは、キュー等のモニタ動作を制御したり等、ミキサ１０の各種動作を制御する。なお、操作子１８には、ユーザが各入力ｃｈないし各出力ｃｈを個別に制御するための、ｃｈ毎のフェーダ、オンキー、キューキーが含まれる。
【００２３】
通信Ｉ／Ｆ１６は、通信Ｉ／Ｏ１９を通信バス２５に接続してＣＰＵ１１からの指示に従って通信Ｉ／Ｏ１９を通したデータ送受信を制御するためのインタフェースである。通信Ｉ／Ｏ１９は、ネットワークを介してあるいはピアツーピア通信により外部装置と通信を行うことができる。
【００２４】
ＤＳＰ２０は、μプログラムを実行する信号処理回路を含み、音声バスを介して供給される音信号に対し、信号処理のパラメータの値に従った信号処理を施す信号処理手段である。この信号処理は、メモリ（ＲＯＭ１２、ＲＡＭ１３）に記憶された各種パラメータの値に基づいて制御される。
【００２５】
ＡＤ変換部２２は、複数の入力ジャックを介して外部機器から入力するアナログ音信号をそれぞれデジタル音信号に変換して音声バス２６を介してＤＳＰ２０に供給する機能を備える。ＤＡ変換部２３は、音声バス２６を介してＤＳＰ２０から取得した複数ｃｈのデジタル音信号をそれぞれアナログ音信号に変換して、該音信号と対応付けられた出力ジャックから外部機器へ出力する機能を備える。ＤＤ変換部２４は、外部機器から供給されるＤａｎｔｅ（ＴＭ）、ＭＡＤＩ（ＴＭ）等の所定の通信方式の伝送フレームからデジタル音信号を復調して、音声バス２６を介してＤＳＰ２０に供給したり、音声バス２６を介してＤＳＰ２０から取得したデジタル音信号を該通信方式の伝送フレームに載せて外部機器に出力したりする機能を備える。
【００２６】
また、音声バス２６は、時分割でデジタル音信号を複数ｃｈ伝送可能であり、各ｃｈは音声バス２６に接続されているＤＳＰ２０、変換部２２、２３、２４の所望の１から別の所望の１へ音信号を伝える信号伝送路として機能する。
【００２７】
次に、図３乃至図６に、図２に示したＤＳＰ２０、変換部２２、２３、２４、音声バス２６で実行される信号処理の構成をより詳細に示す。図３に示すように、この信号処理には、主にＤＳＰ２０が担当するＮの入力ｃｈ（チャンネル）１２０、Ｍ出力系統に対応するＭのバス１３０、同Ｍの出力ｃｈ１４０、１のキューバス１５０、および１のキュー（モニタ）出力ｃｈ１６０の処理と、音声バス２６が担当する入力パッチ１１０、および出力パッチ１７０の処理とを備える。
【００２８】
入力パッチ１１０は、１番目（１２０−１）からＮ番目（１２０−Ｎ）までＮｃｈある入力ｃｈ１２０のそれぞれに、ＡＤ変換部２２又はＤＤ変換部２４の入力ジャック（ＤＤ変換部については仮想入力ジャック）と対応するように用意された複数の各入力ジャックのいずれかをパッチ（結線）し、パッチされた入力ジャックから受け取った音信号を、その入力ｃｈに供給する。
【００２９】
図４は、１つの入力ｃｈ１２０の構成要素例を示す。入力ｃｈ１２０では、そのパッチされた入力ジャックから受け取った音信号に対して、図４に示すように、アッテネータ（Ａｔｔ）１２１、ハイパスフィルタ（ＨＰＦ）１２２、イコライザ（ＥＱ）１２３、ダイナミクス１２４の各要素処理が順次施される。それら要素処理では、それぞれ、複数のパラメータの値に従って、音信号のその要素処理に対応する特性を制御する。入力ｃｈ１２０には、１番目からＭ番目までのＭ出力系統のバス１３０それぞれに対応するＭ個のレベル調整部１２５が備わり、バス１３０毎の送出ゲインを設定できる。各レベル調整部１２５は、それぞれ対応するバス１３０への送出ゲインに従い、特性制御後の音信号のレベルを制御して、対応するバス１３０にレベル制御後の音信号を送出する。レベル調整部１２５が図１の第１レベル調整部６と看做せる。各入力ｃｈ１２０におけるバス１３０毎の送出ゲインが、複数の出力系統毎の「第１パラメータ」に相当する。
【００３０】
Ｍの各出力系統のバス１３０は、複数の入力ｃｈ１２０から供給される複数の音信号をミキシングし、ミキシング後のＭ出力系統の混合音信号を、１番目（１４０−１）からＭ番目（１４０−Ｍ）までＭｃｈ設けられた出力ｃｈ１４０にそれぞれ供給する。
そして、Ｍの各出力ｃｈ１４０では、その混合音信号に対し、図５に示すように、イコライザ１４３、ダイナミクス１４４、およびレベル調整部１４５の各要素処理が順次施される。それら要素処理では、それぞれ、送出ゲインを含む複数のパラメータの値に従って、対応するバスから供給される混合音信号に対しその処理要素に対応する処理を施し、信号処理後の混合音信号を出力パッチ１７０へ出力する。出力ｃｈ１４０とその出力１４０に対応するバス１３０をまとめて「バスチャンネル」（図１のバスｃｈ３）という。イコライザ１４３、ダイナミクス１４４、およびレベル調整部１４５の各要素が、図１の第１信号処理部７と看做せる。イコライザ１４３、ダイナミクス１４４、およびレベル調整部１４５の各信号処理のパラメータが、「第２パラメータ」である。
【００３１】
出力パッチ１７０は、各出力ｃｈ１４０を、ＤＡ変換部２３又はＤＤ変換部２４に設けた出力ジャック（ＤＤ変換部２４については仮想出力ジャック）にパッチし、各出力ｃｈ１４０による処理後の音信号を、パッチされた出力ジャックに供給する。パッチ先の出力ジャックには、メイン出力１８０のための出力ジャックと、モニタ出力１９０のための出力ジャックである。メイン出力１８０には、メインスピーカやウェッジスピーカ等が接続される。モニタ出力１９０には、モニタ用スピーカやヘッドフォン等が接続される。
【００３２】
また、各入力ｃｈ１２０は、図４に示す通り、３箇所の取り出し位置Ｐ１〜Ｐ３のいずれかから取り出した音信号を、試聴用の音信号としてキューバス１５０に対して送出できる。各入力ｃｈ１２０のキュースイッチ１２６は、キューバス１５０への送出オン／オフ（つまりキューオン／オフ）を切り替えるキューオン／オフパラメータ、及び、取り出し位置Ｐ１〜Ｐ３のいずれかを指定する取出位置パラメータに従って、取り出し位置Ｐ１〜Ｐ３のいずれかにつながる接点、又は、いずれとも接続されない接点を選択する。取出位置パラメータの値は、ユーザが入力ｃｈ１２０毎に予め設定する。このミキサ１０は、ユーザが指定した、通常ミキサのキュー動作と同じ動作を行う「キューモード」と、本発明のプレビュー動作を行う「プレビューモード」の何れか一方のモードで動作する。そのキューモードにおいて、ユーザによりある入力ｃｈのキューキーがオン操作された場合、ＣＰＵ１１は、取出位置パラメータの示す取り出し位置Ｐ１〜Ｐ３のいずれかを選択するようキュースイッチ１２６を制御し、オフ操作された場合、ＣＰＵ１１は、いずれとも接続されない接点を選択するようキュースイッチ１２６を制御する。なお、このキュースイッチ１２６は、キューモードで入力ｃｈのキュー（試聴）するためのスイッチであり、出力ｃｈのプレビューには不要である。つまり、キュースイッチ１２６を省略し、レベル調整部１２７には、常時、Ｐ２からの音信号が供給されるようにしてもよい。
【００３３】
各入力ｃｈ１２０のレベル調整部１２７は、キューバス１５０への送出ゲイン（「キューゲイン」という）に従い、その入力ｃｈ１２０の音信号のレベルを制御して、レベル制御後の音信号をキューバス１５０へ出力する。各入力ｃｈ１２０のレベル調整部１２７を含むキューバス１５０への送出部分が、図１のプレビューｃｈ４の一部（第２レベル調整部８）として使用される。また、入力ｃｈ１２０毎のキューゲインが、「第３パラメータ」である。なお、このレベル調整部１２７は、キューモードでの入力ｃｈの普通のキュー（試聴）には不要である。すなわち、入力ｃｈのキュー時、第３パラメータは、音信号がそのまま通過するよう「０ｄＢ」に設定される。
【００３４】
また、各出力ｃｈ１４０も、図５に示す通り、３箇所の取り出し位置Ｐ４〜Ｐ６のいずれかから取り出した音信号を、試聴用の音信号としてキューバス１５０に送出できる。各出力ｃｈ１４０のキュースイッチ１４６は、キューオン／オフパラメータ、及び、ユーザが予め設定した、取り出し位置Ｐ４〜Ｐ６のいずれかを指定する取出位置パラメータに従って、取り出し位置Ｐ４〜Ｐ６のいずれかにつながる接点、又は、いずれともつながらない接点を選択する。キューモードで、ユーザによりある出力ｃｈ１４０のキューキーがオン操作された場合、ＣＰＵ１１は、取出位置パラメータの示す取り出し位置Ｐ４〜Ｐ６のいずれかを選択するようキュースイッチ１４６を制御し、オフ操作された場合、ＣＰＵ１１は、いずれとも接続されない接点を選択するようキュースイッチ１４６を制御する。なお、ミキサは、一般的に、入力ｃｈ１２０と出力ｃｈ１４０を同時にキューオンできないようになっている。なお、本発明は、キューモードのキュー動作ではなく、プレビューモードでのプレビュー動作に関する。
【００３５】
キューバス１５０は、１以上の入力ｃｈ１２０又は出力ｃｈ１４０のキュースイッチ１２６又は１４６により選択された１以上の音信号をミキシングし、ミキシング後の混合音信号を、キュー出力ｃｈ１６０に出力する。キューバス１５０は図１のプレビューｃｈ４の一部（第２信号処理部９）を構成する。
【００３６】
キュー出力ｃｈ１６０では、キューバス１５０から供給される音信号に対し、図５に示すように、アッテネータ１６１、イコライザ１６３、ダイナミクス１６４及びレベル調整部１６５の各要素処理が順次施される。それら要素処理では、それぞれ、送出ゲインを含む複数のパラメータの値に従って、キューバス１５０から入力する混合音信号に対しその処理要素に対応する処理を施し、信号処理後の混合音信号をモニタ出力１９０へ出力する。ここで、入力ｃｈ１２０、出力ｃｈ１４０、及び、キュー出力ｃｈ１６０におけるイコライザ、ダイナミクス、レベル調整部は、相互に同じ構成の処理部であり、相互に同じパラメータ値を使用できる。また、レベル調整部にはミュートスイッチが含まれている。レベル調整部は、ミュートスイッチがオンのときは、設定されたゲインに関わらず混合音信号をミュートし、オフのときは、混合音信号をミュートせず、設定されたゲインに応じてレベル制御して出力する。プレビューモードでは、キュー出力ｃｈ１６０の全体が図１のプレビューｃｈ４の一部（第２信号処理部９）として使用され、キュー出力ｃｈ１６０のイコライザ１４３、ダイナミクス１４４、レベル調整部１４５の各信号処理のパラメータが「第４パラメータ」である。
【００３７】
モニタ出力１９０は、試聴用の音信号として、キュー出力ｃｈ１６０からの混合音信号と、出力パッチ１７０によりパッチされた出力ｃｈ１４０からの混合音信号の何れか一方を選択的に出力する。具体的には、キューモードでは、何れかのキュースイッチ１２６又は１４６がオンの場合、ＣＰＵ１１は、キュー出力ｃｈ１６０からの混合音信号を出力するようモニタ出力１９０を制御し、全てのキュースイッチ１２６又は１４６がオフの場合、ＣＰＵ１１は、出力パッチ１７０から供給される、ユーザによりモニタ対象として予め選択された出力ｃｈ１４０の混合音信号を選択的に出力するようモニタ出力１９０を制御する。一方、プレビューモードでは、後述の比較機能がオフの場合、ＣＰＵ１１は、キュー出力ｃｈ１６０からの混合音信号を出力するようモニタ出力１９０を制御し、比較機能がオンの場合は、ＣＰＵ１１は、出力パッチ１７０から供給される、ユーザにより予め試聴対象に指定された出力ｃｈ１４０の混合音信号を選択的に出力するようモニタ出力を制御する。
キューモードは、通常のキュー機能であり、試聴対象（「キュー対象」とも言う）に指定した１又は複数の入力ｃｈ１２０又は出力ｃｈ１４０の音信号を、ユーザが、モニタ出力１９０からの音信号にて試聴するための機能である。一方、プレビューモードとは、特殊なキュー機能であり、メイン出力１８０の混合音信号に影響を与えることなく、ユーザが、試聴対象（「プレビュー対象」とも言う）に指定された１つの出力ｃｈ１４０の混合音信号をモニタ出力１９０にて試聴しつつ、且つ、その混合音信号における複数の音信号の混合比や、その混合音信号の信号処理パラメータを、モニタ出力１９０からの音信号を聴きながら調整するための機能である。
【００３８】
なお、ＤＳＰ２０に設けるこれらの各処理部による信号処理は、上述した第１、第２、第３及び第４パラメータを含む、メモリ（ＲＯＭ１２又はＲＡＭ１３）に記憶されるパラメータの値により制御される。なお、各処理部の機能は、ソフトウェアによって実現してもハードウェアによって実現してもよい。
【００３９】
次に、プレビューモードに関連してミキサ１０のＣＰＵ１１が行う処理について説明する。図７は、ユーザからのプレビューモード開始指示に応じて、ＣＰＵ１１が実行するプレビューモード開始処理のフローチャートを示す。ユーザがプレビューモード開始指示を入力するプレビューキーは、例えば、物理的な操作子１８でもよいし、或いは、例えばディスプレイ（表示部１７）に表示された画像操作子でもよい。ＣＰＵ１１は、キュー機能のモードがプレビューモードでないとき（例えばキューモード中）に、プレビューキーの操作があったとき、その操作をプレビュー開始指示として検出する。
【００４０】
ステップＳ１において、ＣＰＵ１１は、キュー機能のモードを示す変数ＭＯＤＥに「プレビューモード」を設定し、また、対比機能のオン／オフを示す変数ＣＰに「０」を設定する。変数ＭＯＤＥに「プレビューモード」を設定することにより、キュー機能のモードがプレビューモードになる。変数ＣＰに「０」を設定することにより、対比機能がオフになる。ステップＳ２において、ＣＰＵ１１は、キュー出力チャンネル１６０のミュートスイッチをオンして、キュー出力ｃｈ１６０から出力される音信号をミュートする。
【００４１】
ステップＳ３において、ＣＰＵ１１は、全入力ｃｈ１２０のキュースイッチ１２６で取り出し位置Ｐ２を選択し、且つ、全出力ｃｈ１４０のキュースイッチ１４６でキューオフを選択する。この実施例では、プレビューモードにおいて、入力ｃｈ１２０毎の取出位置パラメータの値に関わらず、全入力ｃｈ１２０のキュースイッチ１２６で取り出し位置Ｐ２が固定的に選択されるようになっている。ただし、前記ステップＳ２によりキュー出力ｃｈ１６０で音信号をミュートしているので、モニタ出力１９０には無音（レベルが−∞ｄＢ）の信号が供給される、すなわち、モニタ出力１９０は音が含まれる音信号を出力しない。
【００４２】
図８は、複数の出力ｃｈ１４０のうちの或るｘ番目の出力ｃｈ（ｘ）を試聴対象に指定するユーザ操作に応じて、ＣＰＵ１１が実行する処理例を示すフローチャートである。試聴対象に指定するユーザ操作は、ここでは、出力ｃｈ（ｘ）のキューキーのオン操作であるが、例えば、ディスプレイ（表示部１７）に表示された試聴対象指定用の操作子画像の操作でもよい。
【００４３】
ステップＳ４において、ＣＰＵ１１は、変数ＭＯＤＥの値が「プレビューモード」か否かを判断する。変数ＭＯＤＥが「プレビューモード」の場合（ステップＳ４のＹｅｓ）、ＣＰＵ１１は、ステップＳ５において、プレビューモードでの試聴対象（プレビュー対象）の出力系統を示す変数ＴＧに、指定されたｃｈ番号「ｘ」を設定し、また、変数ＣＰに、「０」（対比機能オフ）を設定する。これにより、指定された出力ｃｈ（ｘ）とその出力ｃｈ（ｘ）に対応するバス（ｘ）、つまり、１つの出力系統がプレビュー対象となる。前記のプレビューモードにおいて試聴対象の出力ｃｈ１４０を指定する操作が、「何れか１の出力系統のプレビュー指示」に相当する。
【００４４】
ステップＳ６において、ＣＰＵ１１は、入力ｃｈ１２０毎に、その入力ｃｈ１２０からプレビュー対象のバス（ｘ）への音信号の送出ゲインの値を、その入力ｃｈ１２０のキューゲインにコピーする。これにより、各入力ｃｈ１２０の音信号は、その入力ｃｈ１２０からバス（ｘ）への送出ゲインと同じゲインで、キューバス１５０に送出される。すなわち、キューバス１５０では、プレビュー対象のバス（ｘ）と同じ混合比で、各入力ｃｈ１２０の音信号がミキシングされる。なお、プレビュー対象のバス（ｘ）に音信号を送出していない各入力ｃｈ１２０のキューゲインは「−∞ｄＢ」（すなわちキューバス１５０への送出オフないしミュート）であり、それら入力ｃｈの音信号は無音であるので、それら入力ｃｈ１２０の音信号はキューバス１５０でミキシングされないと看做せる。
【００４５】
また、ステップＳ７において、ＣＰＵ１１は、プレビュー対象の出力ｃｈ（ｘ）の信号処理のパラメータの値を、キュー出力ｃｈ１６０の信号処理のパラメータにコピーする。これにより、キュー出力ｃｈ１６０は、プレビュー対象の出力ｃｈ（ｘ）と同じパラメータ値に基づく信号処理を、キューバス１５０からの混合音信号に対して施すように設定される。
【００４６】
この設定で、レベル制御部１６５のミュートスイッチ（図示外）がオフされると、キュー出力ｃｈ１６０のミュートが解除される。これにより、モニタ出力１９０は、キュー出力ｃｈ１６０の混合音信号の出力を開始する。従って、ユーザは、プレビュー対象の出力ｃｈ（ｘ）からメイン出力１８０へ出力されている混合音信号と同じ混合音信号を、モニタ出力１９０にて試聴できる。
【００４７】
一方、変数ＭＯＤＥが「プレビューモード」でない場合（ステップＳ４のＮＯ）、ＣＰＵ１１は、その他のモードに応じた処理を行う（ステップＳ８）。例えば、変数ＭＯＤＥが「キューモード」の場合、ＣＰＵ１１は、出力ｃｈ（ｘ）の通常のキュー処理を行う。すなわち、出力ｃｈ（ｘ）がオン操作された場合、ＣＰＵ１１は、ｘ番目の出力ｃｈのキュースイッチ１４６に、予め設定されている取出位置パラメータに応じた１の取り出し位置Ｐ４〜Ｐ６を選択させ、これにより、選択された取り出し位置の音信号がキューバス１５０に供給される。キューバス１５０は、キュー対象に指定された各ｃｈの音信号を混合し、キュー出力ｃｈ１６０は、その混合音信号を信号処理した後、モニタ出力１９０から出力する。
【００４８】
このミキサ１０は、通常はキューモードで使用されることが想定されており、プレビューが必要なときに、プレビューモードに切り替えられる。なお、先にプレビューモードに入ってから、キューキーで出力ｃｈ（ｘ）を指定するようになっていたが、先ずキューモードにてキューキーで出力ｃｈ（ｘ）をキューした後、プレビューモードに切り替えて、その出力ｃｈ（ｘ）のプレビューを開始する手順でもよい。後者の場合、具体的には、ＣＰＵ１１は、キューモードにて出力ｃｈ（ｘ）をキューオンするユーザ操作に応じて、出力ｃｈ（ｘ）のキューを開始し（図８のステップＳ４、Ｓ９）、続いて、ユーザからのプレビューモード開始指示に応じて、ＣＰＵ１１は、出力系統ｘのプレビュー処理（前記図７のステップＳ１〜Ｓ３と、前記図８のステップＳ４〜Ｓ８）を行うようにすればよい。
あるいは、キューモードとプレビューモードを切り替える代わりに、図示しないシフトキーを設け、ユーザがそのシフトキーを押しながら出力ｃｈ（ｘ）のキューキーを操作した時、ＣＰＵ１１が、出力系統ｘのプレビュー処理を行うようにしてもよい。その出力系統ｘのプレビューは、ユーザがその出力ｃｈ（ｘ）のキューキーを再び操作したとき、ＣＰＵ１１が、それをプレビュー終了指示として検出し、終了すればよい。
【００４９】
前記図７及び図８の処理により或る出力ｃｈ（ｘ）のプレビューを開始した後、ユーザが、値調整操作を行うことにより、複数の各入力ｃｈ１２０のキューゲイン、及び、キュー出力ｃｈ１６０の信号処理のパラメータを調整できる。この値調整操作は、例えば、各入力ｃｈ１２０のセンドゲインが割り当てられた操作子１８にそのｃｈ１２０のキューゲインを割り当て、出力ｃｈ（ｘ）が割り当てられたｃｈストリップの操作子１８にキュー出力ｃｈ１６０を一時的に割り当てて、それら操作子１８を用いて行うようにすればよい。さらに、ユーザが、そのｃｈストリップの選択キーを操作すれば、セレクテッドｃｈセクションの操作子１８を使用できる。図９は、それら操作子１８の何れか１のユーザ操作に応じて、ＣＰＵ１１が実行する値変更処理のフローチャートを示す。ＣＰＵ１１は、ステップＳ１０において、メモリ１２，１３に記憶されたパラメータのうち、操作された操作子１８に対応するパラメータの値を変更し、また、ステップＳ１１において、変更後のパラメータ値を表示部１７に表示する。前記ステップＳ１０により変更されたパラメータは、ＣＰＵ１１のバックグラウンド処理により、ＤＳＰ２０等による音信号処理に反映される。ユーザによる値調整操作に応じて入力ｃｈ１２０のキューゲインが変化すると（前記ステップＳ１０）、モニタ出力１９０で試聴中の混合音信号の混合比が変化する。また、ユーザによる値調整操作に応じてキュー出力ｃｈ１６０の信号処理のパラメータが変化すると（前記ステップＳ１０）、モニタ出力１９０で試聴中の混合音信号の周波数特性やダイナミクス特性などが変化する。
【００５０】
このように、ユーザが、或る出力ｃｈ（ｘ）のプレビューを指示すると、モニタ出力１９０用の出力系統（各入力ｃｈ１２０のレベル調整部１２７とキューバス１５０とキュー出力ｃｈ１６０、すなわち図１のプレビューｃｈ４）に、プレビュー対象の出力系統と同じ混合比や信号処理のパラメータが設定され、ユーザは、プレビュー対象に指定された出力ｃｈ（ｘ）と同じ混合音信号をモニタ出力１９０にて試聴できる。さらに、ユーザは、モニタ出力１９０用の出力系統の第３パラメータや第４パラメータを調整して、メイン出力１８０から出力される混合音信号に影響を与えることなく、プレビュー対象の混合音信号における複数の音信号の混合比や、プレビュー対象の混合音信号の信号処理パラメータを、モニタ出力１９０の音を聴きながら調整できる。
【００５１】
なお、キューモードで、ユーザが何れかの出力ｃｈ（ｘ）のキューオンを指示した場合、音信号が加工されずにそのままキュー出力ｃｈ１６０を通過するよう、キュー出力ｃｈ１６０の信号処理のパラメータを設定すれば、ユーザは、キュー対象の出力ｃｈ（ｘ）のと同じ混合音信号をモニタ出力で試聴できる。さらに、ユーザは、キュー出力ｃｈ１６０の信号処理のパラメータを調整すれば、出力ｃｈ（ｘ）の音信号の特性を、モニタ出力１９０の音信号を聴きながら調整できる。しかし、この場合は、プレビューモードのように、その出力ｃｈ（ｘ）の混合音信号に影響を与えることなく、複数の音信号の混合比を、ユーザが、モニタ出力１９０の音信号を聴きながら調整できない。
【００５２】
ミキサ１０は、プレビューモードにて、出力ｃｈ（ｘ）のキュー出力ｃｈ１６０からのプレビューの混合音信号と、出力ｃｈ（ｘ）のオリジナルの混合音信号の何れか一方を、ユーザが聞き比べるために、モニタ出力１９０に選択的に供給する対比機能を備える。プレビューモード開始時に対比機能がオフに初期設定されるので（前記ステップＳ５の変数ＣＰ＝０）、ユーザが対比切り替え指示を行う前までは、モニタ出力１９０はキュー出力ｃｈ１６０からのプレビューの混合音信号を出力する。ユーザは、キュー出力ｃｈ１６０の混合音信号をオリジナルの混合音信号と比較したいときに、対比指示を行う。対比指示を行う対比キーは、例えば、操作子１８に含まれる物理的操作子でもよいし、又は、表示部１７に表示される画像操作子でもよい。一例として、対比キーは、オン／オフ状態をキー自体の点灯／消灯により表す自照式キーなど、ユーザがオン／オフ状態を識別し易いものであるとよい。
【００５３】
図１０は、対比キーのユーザ操作に応じてＣＰＵ１１が実行する対比切り替え処理のフローチャートを示す。ステップＳ１２において、ＣＰＵ１１は、変数ＣＰの値を反転する。変数ＣＰが０から１に変わり、対比機能がオンになったとき、ＣＰＵ１１は、出力パッチ１７０を制御して、プレビュー対象の出力ｃｈ（ｘ）の混合音信号をモニタ出力１９０用の出力ジャックに供給させ、モニタ出力１９０を制御して、キュー出力ｃｈ１６０からの混合音信号に代えて、プレビュー対象の出力ｃｈ（ｘ）からのオリジナルの混合音信号を出力させる。また、変数ＣＰが１から０に変わり、対比機能がオフになったとき、ＣＰＵ１１は、モニタ１９０を制御して、そのオリジナルの混合音信号に代えて、キュー出力ｃｈ１６０からの混合音信号を出力させる。この対比機能により、ユーザは、キュー出力ｃｈ１６０からのプレビューの混合音信号と、出力ｃｈ（ｘ）からのオリジナルの混合音信号とを、モニタ出力１９０にて聞き比べることができる。
【００５４】
また、ミキサ１０は、ユーザによる適用指示に応じて、プレビューモード中にユーザが調整した第３パラメータ及び第４パラメータの値を、プレビュー対象に指定されている出力系統に適用する適用機能を有する。この適用指示は、例えば、ユーザが物理的な操作子１８を操作することにより入力されてもよいし、或いは、表示部１７に表示される画像操作子のユーザ操作により入力されてもよい。
【００５５】
図１１は、適用指示に応じてＣＰＵ１１が実行する適用処理のフローチャートを示す。キュー機能のモードがプレビューモードの場合（ステップＳ１３の「プレビュー」）、ＣＰＵ１１は、ステップＳ１４において、各入力ｃｈ１２０のキューゲインの値（第３パラメータ）を、その入力ｃｈ１２０におけるプレビュー対象の出力系統のバス（ｘ）への音信号の送出ゲインにコピーする。これにより、各入力ｃｈ１２０のレベル調整部１２５には、音信号のバス（ｘ）への送出ゲインとして、その入力ｃｈ１２０のキューゲインと同じ値が設定される。従って、プレビュー対象のバス（ｘ）では、キューバス１５０と同じ混合比で各入力ｃｈ１２０の音信号のミキシングが行われる。また、ステップＳ１５において、ＣＰＵ１１は、キュー出力ｃｈ１６０の信号処理パラメータの値を、プレビュー対象の出力系統の出力ｃｈ（ｘ）の信号処理パラメータにコピーする。これにより、プレビュー対象の出力ｃｈ（ｘ）は、キュー出力ｃｈ１６０と同じパラメータに基づく信号処理を、対応するバス（ｘ）の混合音信号に施すように設定される。なお、キュー機能のモードがプレビューモード以外の場合（ステップＳ１３の「その他」）、ＣＰＵ１１は、ステップＳ１６においてその他モードに応じた処理を行う。
【００５６】
図１２は、プレビューモード終了指示に応じて、ＣＰＵ１１が実行するプレビューモード終了処理のフローチャートを示す。例えば、プレビューモード中にプレビューキーの操作があったとき、ＣＰＵ１１は、その操作をプレビュー終了指示として検出する。ステップＳ１７において、ＣＰＵ１１は、変数ＭＯＤＥに「キューモード」を設定し、また、変数ＣＰに「０」を設定する。ステップＳ１８において、ＣＰＵ１１は、出力パッチ１７０とモニタ出力１９０を制御して、ユーザにより予め選択された出力ｃｈ１４０からの混合信号をモニタ出力１９０から出力させる。そして、ステップＳ１９において、ＣＰＵ１１は、全入力ｃｈ１２０のキュースイッチ１２６にキューオフを選択させる。これにより、全ての入力ｃｈ１２０（及び全ての出力ｃｈ１４０）からキューバス１５０への音信号の送出がオフされ、以後、ミキサ１０は、キューモードでの動作を行う。
【００５７】
上記の実施形態の入力ｃｈ１２０で、ユーザが、バス毎に、このＥＱ１２３とダイナミクス１２４を迂回する／しないを設定するようにしてもよい。すなわち、「迂回する」設定が行われたバスに対しては、各入力ｃｈにおいて、取り出し位置Ｐ１の音信号が、レベル制御部１２５でレベル制御され供給される。「迂回しない」設定が行われたバスに対しては、取り出し位置Ｐ１の音信号が、ＥＱ１２３とダイナミクス１２４で処理され、さらにレベル調整部１２５でレベル制御されて供給される。この場合、プレビューモードにおいて、固定的に、全入力ｃｈ１２０の取り出し位置Ｐ２を選択する（前記ステップＳ３）のではなく、プレビューする出力経路ｘのバス（ｘ）への音信号の取り出し位置と同じ取り出し位置を選択するようにすればよい。
【００５８】
また、入力ｃｈ１２０、出力ｃｈ１４０、キュー出力ｃｈ１６０の信号処理の構成は、図４〜図６に示した構成に限らない。各ｃｈにＥＱとダイナミクスを備えていたが、いずれか一方だけ備えていてもよいし、ダイナミクスを複数個備えていても良い。或いは、ＥＱやダイナミクスでない処理要素を備えていても良い。ただし、プレビューのため、キュー出力ｃｈ１６０の処理要素は、出力ｃｈ１４０の処理要素と対応する処理要素を備えているべきである。
【００５９】
また、ミキサ１０において、入力ｃｈ１２０毎の送出ゲインには、１つのゲイン値に加えてバス１３０への音信号を送出する／しないを切り替えるミュートスイッチのオン／オフパラメータの値が含まれていてもよい。その場合、ＣＰＵ１１は、その入力ｃｈ１２０のキューレベルを、そのゲイン値とそのオン／オフパラメータ値とに基づいて設定する。
【００６０】
また、別の実施形態において、ミキサ１０は、プレビュー系統（すなわち、入力毎のキュースイッチ１２６とレベル調整部１２７、キューバス１５０、キュー出力ｃｈ１６０、並びに、モニタ出力１９０）を複数系統備えていても良い。複数のプレビュー系統は、例えば、複数名のユーザによりそれぞれ別個の用途に使われる。この場合、ユーザは、プレビュー対象の混合音信号の混合比や信号処理パラメータを、プレビュー系統毎に独立して調整できる。
【００６１】
前記の各実施形態において、ＣＰＵ１１及びＣＰＵ１１により図７〜図１２の処理を実行することが供給部５に相当する。具体的には、ＣＰＵ２１の実行するステップＳ６、Ｓ７が、或る出力系統のプレビュー指示に応じて、前記各入力チャンネルにおける当該出力系統の第１パラメータをそれぞれ前記プレビューチャンネルにおける対応する第３パラメータにコピーし、且つ、当該出力系統に対応する出力チャンネルの第２パラメータを前記プレビューチャンネルの第４パラメータにコピーすることに相当し、また、ＣＰＵ１１の実行するステップＳ１０が、値調整指示に応じて、前記プレビューチャンネルの第３パラメータ又は前記第４パラメータを変更することに相当する。
【００６２】
以上、この発明の一実施形態を説明したが、この発明は上記実施形態に限定されるものではなく、特許請求の範囲、及び、明細書と図面に記載された技術的思想の範囲内において種々の変形が可能である。
【００６３】
例えば、音処理装置１は、ミキサ１０に限らず、レコーダ、アンプ、プロセッサ等に適用できる。また、音処理装置１は、図１に示す各部２〜９の動作を実行するように構成された専用ハードウェア装置（集積回路等）からなっていてもよい。また、音処理装置１は、図１に示す各部２〜９の動作を行なうためのプログラムを実行する機能を持つプロセッサ装置により構成されてよい。
【００６４】
また、本発明は、パーソナルコンピュータ上で実行される、Ｃｕｂａｓｅ（登録商標）、ＰｒｏＴｏｏｌｓ（登録商標）等のＤＡＷ（デジタル・オーディオ・ワークステーション）ソフトウェアアプリケーションや、或いは、ビデオ編集ソフトウェアアプリケーションに適用され得る。
【００６５】
また、この発明は、図１の音処理装置１のコントローラが実行するパラメータ供給方法パラメータ供給方法の発明として、構成及び実施されてもよい。また、前記方法を構成する各ステップを、コンピュータに実行させるプログラムの発明として、構成及び実施されてもよい。音処理装置１のコントローラは、図１の供給部５により構成され、供給方法を構成する各ステップは、前記ステップＳ６及びＳ７と、前記ステップＳ１０とである。
【符号の説明】
【００６６】
１  音処理装置、２  入力チャンネル、３  出力チャンネル、４  プレビューチャンネル、５  供給部、６  第１レベル調整部、７  第１信号処理部、８  第２レベル調整部、９  第２信号処理部、１０  デジタルミキサ、１１  ＣＰＵ、１２  ＲＯＭ、１３  ＲＡＭ、１４  表示Ｉ／Ｆ、１５  検出Ｉ／Ｆ、１６  通信Ｉ／Ｆ、１７  表示部、１８  操作子、１９  通信Ｉ／Ｏ、２０  ＤＳＰ、２２  ＡＤ変換部、２３  ＤＡ変換部、２４  ＤＤ変換部、２５  通信バス、２６  音声バス、１１０  入力パッチ、１２０  入力チャンネル、１２５  レベル調整部、１２６  キュースイッチ、１２７  レベル調整部、１３０  バス、１４０  出力チャンネル、１４３  イコライザ、１４４  ダイナミクス、１４５  レベル調整部、１４６  キュースイッチ、１５０  キューバス、１６０  キュー出力チャンネル、１６１  アッテネータ、１６３  イコライザ、１６４  ダイナミクス、１６５  レベル調整部、１７０  出力パッチ、１８０  メイン出力、１９０  モニタ出力
【図１】
2018133701.tif 000003
【図２】
2018133701.tif 000004
【図３】
2018133701.tif 000005
【図４】
2018133701.tif 000006
【図５】
2018133701.tif 000007
【図６】
2018133701.tif 000008
【図７】
2018133701.tif 000009
【図８】
2018133701.tif 000010
【図９】
2018133701.tif 000011
【図１０】
2018133701.tif 000012
【図１１】
2018133701.tif 000013
【図１２】
2018133701.tif 000014